(57)【要約】【課題】簡単に無線ネットワークに接続でき、かつ容易に無線ネットワーク接続された情報機器に所望のアプリケーションソフトウエアを起動させる。【解決手段】DSC３は、PC上の情報コード画像を解析する撮像画像処理機能部２１d及び制御コマンドを出力するI/F回路制御機能部２１eを有する制御回路２１、表示回路２２、画像記憶回路２３、メモリカードI/F回路２４、第２の無線通信手段としての無線通信I/F回路２５、通信情報記憶回路２６、キーSWI/F回路２７及び撮像回路２８等から構成され、各回路が内部バス２９により接続されている。【選択図】図４
2007274567.tif 000002
【特許請求の範囲】
【請求項１】
固有ネットワーク情報を含む無線通信プロトコルにて、無線ネットワークを設定するアクセスポイントと、前記無線通信プロトコルにて前記無線ネットワークを介して前記アクセスポイントと無線通信可能な第１の無線通信手段を有する第１の情報処理装置と、前記無線通信プロトコルにて前記無線ネットワークを介して前記アクセスポイントと無線通信可能な第２の無線通信手段及び被写体を撮像する撮像手段を有する第２の情報処理装置とを有し、前記アクセスポイントが前記無線ネットワークに接続される情報処理装置を識別する識別情報を前記情報処理装置毎に割り振る情報機器システムにおいて、
前記第１の情報処理装置は、前記固有ネットワーク情報及び前記識別情報からなる情報画像を生成し、前記情報画像を画像出力手段に出力させる画像出力制御手段を有し、
前記第２の情報処理装置は、前記第１の情報処理装置にて前記画像出力手段に出力される前記情報画像を前記撮像手段にて撮像し画像処理にて前記情報画像の前記固有ネットワーク情報及び前記第１の情報処理装置の前記識別情報を解析する情報解析手段と、前記情報解析手段が解析した前記固有ネットワーク情報及び前記第１の情報処理装置の前記識別情報に基づき前記第１の情報処理装置に対して制御コマンドを前記アクセスポイントを介して前記無線通信プロトコルにて出力するコマンド出力手段とを有する
ことを特徴とする情報機器システム。
【請求項２】
前記第２の情報処理装置は、前記撮像手段にて撮像する前記情報画像の撮像領域を指定するガイドラインを設定する
ことを特徴とする請求項１に記載の情報機器システム。
【請求項３】
前記第２の情報処理装置は、前記被写体を撮像する通常撮像モードと、前記情報画像を撮像し前記制御コマンドを出力する無線通信モードとを切り替えてモード設定するモード設定手段を有する
ことを特徴とする請求項１または２に記載の情報機器システム。
【請求項４】
前記画像出力手段は、表示モニタまたはプリンタである
ことを特徴とする請求項１、２または３に記載の情報機器システム。
【請求項５】
固有ネットワーク情報を含む無線通信プロトコルにて、無線ネットワークを設定すると共に、前記無線ネットワークに接続される情報処理装置を識別する識別情報を前記情報処理装置毎に割り振るアクセスポイントと、
前記無線通信プロトコルにて前記無線ネットワークを介して、前記アクセスポイントと無線通信可能な第１の無線通信手段と、前記固有ネットワーク情報及び前記識別情報からなる情報画像を生成し、前記情報画像を画像出力手段に出力させる画像出力制御手段とを有する情報処理装置と
を備えた情報機器システムと通信する電子カメラであって、
前記無線通信プロトコルにて前記無線ネットワークを介して、前記アクセスポイントと無線通信可能な第２の無線通信手段と、
前記情報処理装置にて前記画像出力手段に出力される前記情報画像を撮像する前記撮像手段と
を有する情報機器システムに用いる電子カメラにおいて、
前記撮像手段にて撮像する前記情報画像の撮像領域を指定するガイドラインを設定する
ことを特徴とする情報機器システムに用いる電子カメラ。
【請求項６】
前記撮像手段にて撮像した前記情報画像を画像処理し、前記情報画像の前記固有ネットワーク情報及び前記第１の情報処理装置の前記識別情報を解析する情報解析手段と、
前記情報解析手段が解析した前記固有ネットワーク情報及び前記第１の情報処理装置の前記識別情報に基づき前記第１の情報処理装置に対して制御コマンドを前記アクセスポイントを介して前記無線通信プロトコルにて出力するコマンド出力手段と
さらにを有する
ことを特徴とする請求項５に記載の情報機器システムに用いる電子カメラ。
【請求項７】
前記画像出力手段は、表示モニタまたはプリンタである
ことを特徴とする請求項５または６に記載の情報機器システムに用いる電子カメラ。
【発明の詳細な説明】
【技術分野】
【０００１】
本発明は、固有ネットワーク情報を含む無線通信プロトコルにて複数の情報機器を無線接続する情報機器システム及び情報機器システムに用いる電子カメラに関する。
【背景技術】
【０００２】
近年、IEEE802.11x等の固有ネットワーク情報を含む無線通信プロトコルにて、無線ネットワークであるWLAN:Wireless LANを構築し複数の情報機器を無線接続する情報機器システムが広く用いられるようになってきた。
【０００３】
このような情報機器システムは、具体的には、図１７に示すように、例えばアクセスポイント１００がIEEE802.11x等の無線通信プロトコルにてWLAN１０３を構築している。そして、WLAN１０３の無線通信可能な範囲内にある複数の情報処理装置、例えばパーソナルコンピュータ（以下、PCと記す）１０１，１０２等が無線通信にてアクセスポイント１００に接続される。アクセスポイント１００は、無線通信にて接続されるPC１０１，１０２にそれぞれ固有のIPアドレスを付与し、IPアドレスによりPC１０１，１０２を識別すると共に、PC１０１，１０２間での情報伝達を仲介するようになっている。また、近年では、撮像手段を有するデジタルスチルカメラ（以下、DSCと記す）１０４においても、無線通信手段を設けることで、DSC１０４を該WLAN１０３にネット接続可能に構成することがなされている。
【０００４】
上述したWLAN１０３は、無線通信にて構築されるために、図１８に示すように、WLAN１０３の近傍に例えばPC１５１がネット接続されている別のWLAN１５３が構築されると、無線通信範囲がオーバラップする領域が発生する場合がある。このオーバラップする領域に、例えばDSC１０４を位置させると、DSC１０４はWLAN１０３及びWLAN１５３と接続可能な状態となる。そこで、DSC１０４を所望のWLANに接続させるため、WLAN１０３のアクセスポイント１００とWLAN１５１のアクセスポイント１５０は、それぞれが構築する無線ネットワークを識別するためのSSID:Service Set Identifier（あるいはESSID:Extended Service Set Identifier）を設定するようになっている。図１８は、WLAN１０３のSSIDがABCD、WLAN１５３のSSIDがabcdに設定されている例を示している。DSC１０４はこのSSIDを判別することで、所望のWLANに接続することが可能となる。
【０００５】
また、上記WLANにおいては、伝送するデータのセキュリティのため、WEP:Wired Equivalent Privacy（６４ビットWEPキーあるいは１２８ビットWEPキー）と呼ばれる暗号化キーが設定可能である。
【０００６】
このようにWLANに接続するためには、機器毎のIPアドレス、無線ネットワークのSSID、セキュリティのためのWEPキー等の設定情報の設定が必要となる。
【０００７】
一般には、PC１０１は、専用の設定ユーティリティソフトウエアを起動し、キーボード等を用いて上記設定情報の設定を行う。
【０００８】
一方、DSC１０４は、図１９に示すように、背面に設けられた液晶モニタ１０４c上にキャラクタ行列を表示し、十字キー１６１を用いてポインタ１７３を移動させ、確定ボタン１６２を用いて設定情報、例えばSSIDを指定する指定領域に表示させて設定を行う。あるいは、DSC１０４は、図２０に示すように、液晶モニタ１０４cにタッチスイッチ１８０を設け、液晶モニタ１０４c上にキーボード１８１を表示させることで、タッチスイッチ１８０を用いてキーボード１８１を操作し、設定情報、例えばSSIDを指定する指定領域に表示させて設定を行う。
【０００９】
また、図２１に示すように、PC１０１において専用の設定ユーティリティソフトウエア２００を起動し、設定ユーティリティソフトウエア２００を用いてUSBケーブルを介して、設定情報をDSC１０４に設定したり、図２２に示すように、設定ユーティリティソフトウエア２００を用いてメモリカード２０１を介して、設定情報をDSC１０４に設定する場合もある。
【００１０】
しかしながら、DSC１０４単体で設定情報を設定する場合には、液晶モニタ１０４cを用いる必要があるが、この液晶モニタ１０４cはDSC１０４の背面に設けられるために小型化が要求され、このような小型の液晶モニタ１０４c上で設定情報の設定を行うには、操作が煩雑となる。また、DSC１０４の設定情報をPC１０１上の設定ユーティリティソフトウエア２００を用いて行う場合には、USBケーブルあるいはメモリカード２０１が必要となる。
【００１１】
一方、例えば特開２００３−１４３４５７号公報では、情報機器であるPCにおいて特定情報を表示手段に表示し、DSCにてこの特定情報を撮像し、画像認識処理により特定情報を認識する情報機器システムが開示されている。
【特許文献１】特開２００３−１４３４５７号公報
【発明の開示】
【発明が解決しようとする課題】
【００１２】
しかしながら、従来の情報機器システムは、無線ネットワークに接続できたとしても、DSCからの画像のダウンロードやDSCの画像の閲覧を無線ネットワークを介してPC上で実行するには、PC上でアプリケーションソフトウエアを起動させた後、PCとDSCとでデータの送受を行う必要となり、操作が煩雑となるといった問題がある。
【００１３】
本発明は、上述した点に鑑みてなされたもので、簡単に無線ネットワークに接続でき、かつ容易に無線ネットワーク接続された情報機器に所望のアプリケーションソフトウエアを起動させることのできる情報機器システム情報及び機器システムに用いる電子カメラを提供することを目的としている。
【課題を解決するための手段】
【００１４】
本発明の情報機器システムは、
固有ネットワーク情報を含む無線通信プロトコルにて、無線ネットワークを設定するアクセスポイントと、前記無線通信プロトコルにて前記無線ネットワークを介して前記アクセスポイントと無線通信可能な第１の無線通信手段を有する第１の情報処理装置と、前記無線通信プロトコルにて前記無線ネットワークを介して前記アクセスポイントと無線通信可能な第２の無線通信手段及び被写体を撮像する撮像手段を有する第２の情報処理装置とを有し、前記アクセスポイントが前記無線ネットワークに接続される情報処理装置を識別する識別情報を前記情報処理装置毎に割り振る情報機器システムにおいて、
前記第１の情報処理装置は、前記固有ネットワーク情報及び前記識別情報からなる情報画像を生成し、前記情報画像を画像出力手段に出力させる画像出力制御手段を有し、
前記第２の情報処理装置は、前記第１の情報処理装置にて前記画像出力手段に出力される前記情報画像を前記撮像手段にて撮像し画像処理にて前記情報画像の前記固有ネットワーク情報及び前記第１の情報処理装置の前記識別情報を解析する情報解析手段と、前記情報解析手段が解析した前記固有ネットワーク情報及び前記第１の情報処理装置の前記識別情報に基づき前記第１の情報処理装置に対して制御コマンドを前記アクセスポイントを介して前記無線通信プロトコルにて出力するコマンド出力手段と
を有して構成される。
【００１５】
また、本発明の情報機器システムに用いる電子カメラは、
固有ネットワーク情報を含む無線通信プロトコルにて、無線ネットワークを設定すると共に、前記無線ネットワークに接続される情報処理装置を識別する識別情報を前記情報処理装置毎に割り振るアクセスポイントと、
前記無線通信プロトコルにて前記無線ネットワークを介して、前記アクセスポイントと無線通信可能な第１の無線通信手段と、前記固有ネットワーク情報及び前記識別情報からなる情報画像を生成し、前記情報画像を画像出力手段に出力させる画像出力制御手段とを有する情報処理装置と
を備えた情報機器システムと通信する電子カメラであって、
前記無線通信プロトコルにて前記無線ネットワークを介して、前記アクセスポイントと無線通信可能な第２の無線通信手段と、
前記情報処理装置にて前記画像出力手段に出力される前記情報画像を撮像する前記撮像手段と
を有する情報機器システムに用いる電子カメラにおいて、
前記撮像手段にて撮像する前記情報画像の撮像領域を指定するガイドラインを設定する
ことを特徴として構成される。
【発明の効果】
【００１６】
本発明によれば、簡単に無線ネットワークに接続でき、かつ容易に無線ネットワーク接続された情報機器に所望のアプリケーションソフトウエアを起動させることができるという効果がある。
【発明を実施するための最良の形態】
【００１７】
以下、図面を参照しながら本発明の実施例について述べる。
【実施例１】
【００１８】
図１ないし図１６は本発明の実施例１に係わり、図１は情報機器システムの構成を示す構成図、図２は図１のDSCの前面の外観を示す図、図３は図１のDSCの背面の外観を示す図、図４は図１のDSCの構成を示すブロック図、図５は図４の制御回路の機能構成を示す機能ブロック図、図６は図１のPCの構成を示すブロック図、図７は図６の制御回路の機能構成を示す機能ブロック図、図８は図６のPCの無線ネットワーク通信開始時の処理の流れを示すフローチャート、図９は図８の処理を説明する図、図１０は図４のDSCの無線ネットワーク通信開始時の処理の流れを示すフローチャートである。
【００１９】
図１１は図１０の処理を説明する図、図１２は図１０の無線通信モード処理でのDSCの処理の流れを示すフローチャート、図１３は図１０の無線通信モード処理でのPCの処理の流れを示すフローチャート、図１４は図１３の処理で起動されるキーSW情報に対応したアプリケーションプログラムを説明する第１の図、図１５は図１３の処理で起動されるキーSW情報に対応したアプリケーションプログラムを説明する第２の図、図１６は図１３の処理で起動されるキーSW情報に対応したアプリケーションプログラムを説明する第３の図である。
【００２０】
本実施例の情報機器システムは、図１に示すように、アクセスポイント１と、第１の情報機器であるPC２と、第２の情報機器であるDSC３とから構成される。アクセスポイント１は、所定の無線ネットワーク名であるSSIDを有するWLAN４を構築し、WLAN４の無線通信範囲内に存在するPC２とDSC３を所定の無線通信プロトコルである例えばIEEE802.11xによりPC２とDSC３を無線接続するようになっている。このアクセスポイント１は、DHCP(Dynamic Host Configuration Protocol)機能によりPC２とDSC３のそれぞれに固有のIPアドレスを割り振りを行うと共に、例えば１２８ビットWEPキーからなる暗号化キーによりWLAN４のデータセキュリティを実現している。
【００２１】
なお、本実施例は、アクセスポイント１のDHCP機能のオン／オフ設定及び１２８ビットWEPキーの設定はPC２により行うことが可能な構成となっている。
【００２２】
ここで、本実施例では、固有ネットワーク情報の一例としては例えば１２８ビットWEPキー及びSSIDとを含む情報を指し、識別情報の一例としてはIPアドレスを指す。
【００２３】
DSC３は、図２に示すように、前面に被写体像を入射するレンズ部３aと、上部にファインダ部３b及びシャッタ３cを備えて構成される。また、DSC３は、図３に示すように、背面に液晶モニタ部１０、モード切り替えスイッチ１１、十字キー１２を有して構成される。液晶モニタ部１０は撮像した被写体のデジタル画像データや各種メニュー画面を表示するようになっている。また、モード切り替えスイッチ１１は、DSC３のモードを通常撮影モードとWLAN通信モードとを切り替える。十字キー１２は、通常撮影モード時は液晶モニタ部１０上の各種メニュー画面を操作する操作キーとして作用し、WLAN通信モード時はPC２に対する制御コマンドを設定するコマンドキーとして作用するようになっている。また、十字キー１２は、「↑」キー１２a、「↓」キー１２b、「←」キー１２c、「→」キー１２dから構成される。
【００２４】
DSC３の内部は、図４に示すように、情報解析手段としての撮像画像処理機能部２１d及びコマンド出力手段としてのI/F回路制御機能部２１eを有する制御回路２１、表示回路２２、画像記憶回路２３、メモリカードI/F回路２４、第２の無線通信手段としての無線通信I/F回路２５、通信情報記憶回路２６、キーSWI/F回路２７及び撮像手段としての撮像回路２８等から構成され、各回路が内部バス２９により接続されている。なお、ここで、I/Fは、インターフェイスの略字である。
【００２５】
撮像回路２８は、レンズ部３aの結像位置に撮像面を有する図示しない撮像素子（例えば、CCDセンサ、CMOSセンサ）を駆動し、撮像した被写体像をデジタル画像データに変換し、画像記憶回路２３にデジタル画像データを格納するものである。
【００２６】
キーSWI/F回路２７は、モード切り替えスイッチ１１及び十字キー１２の操作状態を入力するI/Fである。無線通信I/F回路２５は、WLAN４と無線通信を行うI/Fである。メモリカードI/F回路２４は、図示しないメモリカードとデジタル画像データ及び各種データを送受するI/Fである。
【００２７】
表示回路２２は、デジタル画像データや各種メニュー画面等の表示画像を生成し、液晶モニタ部１０に表示するものである。通信情報記憶回路２６は、WLAN４との通信に必要なSSID、１２８ビットWEPキー、自己及び通信対象機器のIPアドレス等の通信設定情報を記憶するものである。
【００２８】
制御回路２１は、上記各回路を制御すると共に、各種処理を実行する回路である。具体的には、制御回路２１は、図５に示すように、モード設定機能部２１a、撮像回路制御機能部２１b、表示回路制御機能部２１c、情報解析手段としての撮像画像処理機能部２１d、コマンド出力手段としてのI/F回路制御機能部２１eを備えて構成される。
【００２９】
モード設定機能部２１aは、モード切り替えスイッチ１１の設定に応じてモードを設定する機能部である。撮像回路制御機能部２１bは、撮像回路２８を制御するものである。表示回路制御機能部２１cは、表示回路２２を制御するものである。I/F回路制御機能部２１eは、メモリカードI/F回路２４、無線通信I/F回路２５及びキーSWI/F回路２７の各I/F回路を制御するものである。
【００３０】
撮像画像処理機能部２１dは、通常撮影モード時においてはデジタル画像データに対して各種画像処理を実行するすると共に、WLAN通信モード時においてはデジタル画像データに対して画像認識処理を実行し、SSID、１２８ビットWEPキー、PC２のIPアドレスを取得する機能部である。
【００３１】
PC２の内部は、図６に示すように、制御回路３１、メイン記憶回路３２、画像出力制御手段としての表示回路３３、メモリカードI/F回路３４、第１の無線通信手段としての無線通信I/F回路３５、通信情報記憶回路３６、キーボードI/F回路３７及びマウスI/F回路３８等から構成され、各回路が内部バス３９により接続されている。
【００３２】
キーボードI/F回路３７は、キーボード６（図１参照）の操作状態を入力するI/Fであり、マウスI/F回路３８は図示しないマウスの操作状態を入力するI/Fである。無線通信I/F回路３５は、WLAN４と無線通信を行うI/Fである。メモリカードI/F回路３４は、図示しないメモリカードとデジタル画像データ及び各種データを送受するI/Fである。
【００３３】
表示回路３３は、各種アプリケーションソフトウエアのウィンドウ画面、フォルダ画面等の表示画像及び後述する情報コード画像を生成し、画像出力手段としての表示モニタである液晶モニタ５（図１参照）に表示するものである。
【００３４】
通信情報記憶回路３６は、WLAN４との通信に必要なSSID、１２８ビットWEPキー、自己及び通信対象機器のIPアドレス等の通信設定情報を記憶するものである。
【００３５】
制御回路３１は、メイン記憶回路３２を用いて上記各回路を制御すると共に、各種処理を実行する回路である。具体的には、制御回路３１は、図７に示すように、システム制御機能部３１a、アプリケーション起動機能部３１b、表示画像生成機能部３１c、I/F回路制御機能部３１dを備えて構成される。
【００３６】
システム制御機能部３１aは、オペレーティングシステムを制御する機能部である。アプリケーション起動機能部３１bは、各種アプリケーションソフトウエアを起動する機能部である。表示画像生成機能部３１cは、各種アプリケーションソフトウエアのウィンドウ画面、フォルダ画面等の表示画像を生成する機能部である。I/F回路制御機能部３１dは、メモリカードI/F回路３４、無線通信I/F回路３５、キーボードI/F回路３７及びマウスI/F回路３８の各I/F回路を制御するものである。
【００３７】
次に、このように構成された本実施例の作用を、図８ないし図１６を用いて説明する。
【００３８】
図８に示すように、まず、PC２の制御回路３１は、ステップS１にてアクセスポイント１との無線通信を開始する。そして、ステップS２にて制御回路３１はI/F回路制御機能部３１dにより、無線通信I/F回路３５を介してアクセスポイント１のWLAN４のSSIDを確認／選択する。そして、ステップS３にて制御回路３１はI/F回路制御機能部３１dにより、アクセスポイント１より自己のIPアドレスを取得する。次に、ステップS４にて制御回路３１はI/F回路制御機能部３１dにより、キーボード６より１２８ビットWEPキーを入力し、アクセスポイント１に１２８ビットWEPキーを設定する。
【００３９】
そして、ステップS５にてPC２の制御回路３１は、これらSSID、自己のIPアドレス及び１２８ビットWEPキー等の通信設定情報を通信情報記憶回路３６に格納する。
【００４０】
続いて、ステップS６にてPC２の制御回路３１は、表示画像生成機能部３１cにより、SSID、自己のIPアドレス及び１２８ビットWEPキー等の通信設定情報からなる情報コード画像を生成する。そして、ステップS７にてPC２の制御回路３１は、生成した情報コード画像を液晶モニタ５上の情報表示エリアに表示する。
【００４１】
図９はPC２上で複数のアプリケーションが起動された際の、情報表示エリア４５に情報コード画像４５aを表示した液晶モニタ５の状態を示しており、例えば第１ないし第３のアプリケーションのアイコン４１、４２、４３が起動され、この第１ないし第３のアプリケーションのウインドウ４１a、４２a、４３aが展開された液晶モニタ５上にの所定の情報表示エリア４５に情報コード画像４５aが表示される。情報コード画像４５aは、バーコード画像からなり、SSID、自己のIPアドレス及び１２８ビットWEPキー等の通信設定情報を含んでいる。
【００４２】
なお、情報コード画像４５aは、バーコード画像に限らず、２次元コード画像（例えば、QRコード画像）でもよいし、文字列画像でもよい。
【００４３】
このようにPC２とアクセスポイント１との無線通信が確立され、液晶モニタ５に情報コード画像４５aを表示した際のDSC３の動作を説明する。
【００４４】
図１０に示すように、DSC３の制御回路２１は、ステップS２１にてモード設定機能部２１aによりモード切り替えスイッチ１１の状態に基づき、モード設定が通常撮影モードか無線通信モードかを判断し、通常撮影モードならばステップS２２にて常撮影モードでの処理を実行し、無線通信モードならばステップS２３に進む。
【００４５】
ステップS２３では、DSC３の制御回路２１は、表示回路制御機能部２１cにより、図１１に示すように、液晶モニタ１０上にガイドライン５１a〜５１dを表示する。そして、ユーザがガイドライン５１a〜５１d内に情報コード画像４５aを合わせ込んでシャッタ３cを押下することで、DSC３の制御回路２１は、撮像回路制御機能部２１bにより情報表示エリア４５の情報コード画像４５aを撮像する。
【００４６】
そして、DSC３の制御回路２１は、ステップS２５にて撮像画像処理機能部２１dにより撮像した情報コード画像４５aを画像認識処理し、SSID、接続対象であるPC２のIPアドレス及び１２８ビットWEPキーを認識する。
【００４７】
続いて、DSC３の制御回路２１は、ステップS２６にて認識したSSID、接続対象であるPC２のIPアドレス及び１２８ビットWEPキーを通信情報記憶回路２６に格納する。
【００４８】
次に、DSC３の制御回路２１は、ステップS２７にてI/F回路制御機能部２１eにより無線通信I/F回路２５を介して、認識したSSID及び１２８ビットWEPキーに基づき、アクセスポイント１との無線通信を開始する。
【００４９】
そして、DSC３の制御回路２１は、ステップS２８にてI/F回路制御機能部２１eにより無線通信I/F回路２５を介して、アクセスポイント１より自己のIPアドレスを取得する。DSC３の制御回路２１は、ステップS２９にて取得した自己の所得したIPアドレス通信情報記憶回路２６に格納する。
【００５０】
そして、DSC３の制御回路２１は、ステップS３０にて後述する無線通信モード処理を実行し、ステップS３１にてDSC３の電源がオフされるまで、上記ステップS２１〜ステップS３０の処理を繰り返す。
【００５１】
次に、ステップS３０におけるDSC３の無線通信モード処理を図１２を用いて説明する。
【００５２】
DSC３の無線通信モード処理では、図１２に示すように、DSC３の制御回路２１は、ステップS４１にてI/F回路制御機能部２１eによりキーSWI/F回路２７を介して十字キー１２の操作状態を検知し、十字キー１２が操作されたかどうか判断する。十字キー１２が操作された場合はステップS４２に進み、十字キー１２が操作されていない場合はステップS４３に進む。
【００５３】
ステップS４２では、DSC３の制御回路２１は、操作された十字キー１２の種別を識別する。そして、ステップS４３にてDSC３の制御回路２１は、操作された十字キー１２の種別である制御コマンドとしてのキーSW情報を通信情報記憶回路２６に格納し、ステップS４４に進む。
【００５４】
なお、十字キー１２が操作されていない場合は、ステップS４３にてDSC３の制御回路２１は、「キーSWなし」というキーSW情報を通信情報記憶回路２６に格納する。
【００５５】
ステップS４４では、DSC３の制御回路２１は、表示回路制御機能部２１cにより、液晶モニタ１０上にガイドライン５１a〜５１dを表示し、ユーザがガイドライン５１a〜５１d内に情報コード画像４５aを合わせ込んでシャッタ３cを押下することで、DSC３の制御回路２１は、撮像回路制御機能部２１bにより情報表示エリア４５の情報コード画像４５aを撮像する。
【００５６】
そして、DSC３の制御回路２１は、ステップS４５にて、撮像画像処理機能部２１dにより撮像した情報コード画像４５aを画像認識処理し、SSID、接続対象であるPC２のIPアドレス及び１２８ビットWEPキーを認識する。
【００５７】
続いて、DSC３の制御回路２１は、ステップS４６にて、認識したSSID、接続対象であるPC２のIPアドレス及び１２８ビットWEPキーと、通信情報記憶回路２６に格納しているSSID、接続対象のIPアドレス及び１２８ビットWEPキーを照合し、認識したSSID、接続対象であるPC２のIPアドレス及び１２８ビットWEPキーを認証する。
【００５８】
次に、DSC３の制御回路２１は、ステップS４７にて、認証したSSID、接続対象であるPC２のIPアドレス及び１２８ビットWEPキーと、自己のIPアドレスに基づき、アクセウポイント１を介して接続対象であるPC２との無線通信を確立を実行する。
【００５９】
続いて、DSC３の制御回路２１は、ステップS４８にて、I/F回路制御機能部２１eにより無線通信I/F回路２５を介して、通信情報記憶回路２６に格納されている制御コマンドであるキーSW情報を接続対象であるPC２に送信する。
【００６０】
そして、DSC３の制御回路２１は、ステップS４９にて、キーSW情報に基づく、接続対象であるPC２との後述する通信処理を実行し、処理を終了する。
【００６１】
次に、ステップS３０におけるPC２の無線通信モード処理を図１３を用いて説明する。
【００６２】
PC２の無線通信モード処理では、図１３に示すように、PC２の制御回路３１は、ステップS５１にて、I/F回路制御機能部３１dにより無線通信I/F回路３５を介して、DSC３からの接続要求を待ち、DSC３からの接続要求があると、ステップS５２に進む。
【００６３】
ステップS５２では、PC２の制御回路３１は、I/F回路制御機能部３１dにより無線通信I/F回路３５を介して、DSC３との無線通信を確立を実行する。無線通信が確立されると、PC２の制御回路３１は、ステップS５３にて、I/F回路制御機能部３１dにより無線通信I/F回路３５を介して、DSC３よりキーSW情報を受信する。
【００６４】
そして、PC２の制御回路３１は、ステップS５４にて、キーSW情報に基づく通信処理を実行し、処理を終了する。
【００６５】
キーSW情報に基づく通信処理は、キーSW情報に対応したアプリケーションプログラムを、PC２の制御回路３１はアプリケーション起動機能部３１bにより起動する。
【００６６】
図１４は、起動されるキーSW情報に対応したアプリケーションプログラムの一例を示している。例えば
キーSW情報＝「キーSWなし」の場合、プログラムAを起動
キーSW情報＝「↑」キー１２aの場合、プログラムBを起動
キーSW情報＝「↓」キー１２bの場合、プログラムCを起動
キーSW情報＝「←」キー１２cの場合、プログラムDを起動
となる。
【００６７】
具体的には、図１５に示すように、十字キー１２を操作せずに、シャッタ３cが押下されて情報コード画像４５aをDSC３が撮像すると、キーSW情報＝「キーSWなし」という情報がDSC３からアクセスポイント１を介してPC２に送信される。PC２は、このキーSW情報＝「キーSWなし」に基づき、例えばプログラムAであるダウンロードプログラムを起動し、DSC３の画像記憶回路２３に記憶されている画像データのダウンロードを開始する。
【００６８】
また、図１６に示すように、十字キー１２の「↑」キー１２aが操作され、シャッタ３cが押下されて情報コード画像４５aをDSC３が撮像すると、キーSW情報＝「↑」キー１２aという情報がDSC３からアクセスポイント１を介してPC２に送信される。PC２は、このキーSW情報＝「↑」キー１２aに基づき、例えばプログラムBである画像ビューアプログラムを起動し、DSC３の画像記憶回路２３に記憶されている画像データの一覧をファイルあるいはサムネイルで液晶モニタ５上に一覧表示する。
【００６９】
さらに、図示はしないが、十字キー１２の「↓」キー１２bが操作され、シャッタ３cが押下されて情報コード画像４５aをDSC３が撮像すると、キーSW情報＝「↓」キー１２bという情報がDSC３からアクセスポイント１を介してPC２に送信される。PC２は、このキーSW情報＝「↓」キー１２bに基づき、例えばプログラムCであるファイルマネージャプログラムを起動される。同様に、図示はしないが、十字キー１２の「←」キー１２cが操作され、シャッタ３cが押下されて情報コード画像４５aをDSC３が撮像すると、キーSW情報＝「←」キー１２cという情報がDSC３からアクセスポイント１を介してPC２に送信される。PC２は、このキーSW情報＝「←」キー１２cに基づき、例えばプログラムDであるDSCコントロールプログラム（リモコン操作プログラム）を起動される。
【００７０】
このように本実施例では、PC２に表示された情報コード画像４５aをDSC３が撮像するだけで、DSC３はWLANの設定情報及び接続対象のIPアドレスを取得でき、簡単に接続対象機器との無線通信の通信確立が実行でき、かつ、DSC３は十字キー１２の操作及び情報コード画像４５aの撮像という簡単な操作だけで、容易に所望のプログラムをPC２に対して起動させることができる。
【００７１】
従って、簡単に無線ネットワークに接続でき、かつ容易に無線ネットワーク接続された情報機器に所望のアプリケーションソフトウエアを起動させることができるという効果がある。
【００７２】
また、情報コード画像４５aをDSC３が撮像する際に、DSC３の液晶モニタ１０にガイドライン５１a〜５１dを表示するので、ユーザがガイドライン５１a〜５１d内に情報コード画像４５aを合わせ込んでシャッタ３cを押下することで、常に安定した解像度で情報コード画像４５aを撮像することが可能となり、確実に画像処理による情報の認識ができる。
【００７３】
なお、本実施例は、液晶モニタ５により画像出力手段を構成するとしたが、これに限らず、図示はしないが、PC２内にプリンタI/F部を設け、プリンタI/F部を画像出力制御手段とし、前記プリンタI/F部に接続されるプリンタを画像出力手段としてもよい。
【００７４】
一般に、プリンタに出力される画像は、液晶モニタ５等の表示モニタに表示される画像よりもコントラストが高いため、画像出力手段をプリンタとした場合、DSC３で撮像した際の情報コード画像４５aの画像解析の信頼性を高めることが可能となる。
【００７５】
本発明は、上述した実施例に限定されるものではなく、本発明の要旨を変えない範囲において、種々の変更、改変等が可能である。
【図面の簡単な説明】
【００７６】
【図１】本発明の実施例１に係る情報機器システムの構成を示す構成図
【図２】図１のDSCの前面の外観を示す図
【図３】図１のDSCの背面の外観を示す図
【図４】図１のDSCの構成を示すブロック図
【図５】図４の制御回路の機能構成を示す機能ブロック図
【図６】図１のPCの構成を示すブロック図
【図７】図６の制御回路の機能構成を示す機能ブロック図
【図８】図６のPCの無線ネットワーク通信開始時の処理の流れを示すフローチャート
【図９】図８の処理を説明する図
【図１０】図４のDSCの無線ネットワーク通信開始時の処理の流れを示すフローチャート
【図１１】図１０の処理を説明する図
【図１２】図１０の無線通信モード処理でのDSCの処理の流れを示すフローチャート
【図１３】図１０の無線通信モード処理でのPCの処理の流れを示すフローチャート
【図１４】図１３の処理で起動されるキーSW情報に対応したアプリケーションプログラムを説明する第１の図
【図１５】図１３の処理で起動されるキーSW情報に対応したアプリケーションプログラムを説明する第２の図
【図１６】図１３の処理で起動されるキーSW情報に対応したアプリケーションプログラムを説明する第３の図
【図１７】従来の無線ネットワークを説明する第１の図
【図１８】従来の無線ネットワークを説明する第２の図
【図１９】従来のDSCでのネットワーク情報の設定方法を説明する第１の図
【図２０】従来のDSCでのネットワーク情報の設定方法を説明する第２の図
【図２１】従来のDSCでのネットワーク情報の設定方法を説明する第３の図
【図２２】従来のDSCでのネットワーク情報の設定方法を説明する第４の図
【符号の説明】
【００７７】
１…アクセスポイント
２…PC
３…DSC
４…WLAN
２１…制御回路
２２…表示回路
２３…画像記憶回路
２４…メモリカードI/F回路
２５…無線通信I/F回路
２６…通信情報記憶回路
２７…キーSWI/F回路
２８…撮像回路
２９、３９…内部バス
３１…制御回路
３２…メイン記憶回路
３３…表示回路
３４…メモリカードI/F回路
３５…無線通信I/F回路
３６…通信情報記憶回路
３７…キーボードI/F回路
３８…マウスI/F回路
【図１】
2007274567.tif 000003
【図２】
2007274567.tif 000004
【図３】
2007274567.tif 000005
【図４】
2007274567.tif 000006
【図５】
2007274567.tif 000007
【図６】
2007274567.tif 000008
【図７】
2007274567.tif 000009
【図８】
2007274567.tif 000010
【図９】
2007274567.tif 000011
【図１０】
2007274567.tif 000012
【図１１】
2007274567.tif 000013
【図１２】
2007274567.tif 000014
【図１３】
2007274567.tif 000015
【図１４】
2007274567.tif 000016
【図１５】
2007274567.tif 000017
【図１６】
2007274567.tif 000018
【図１７】
2007274567.tif 000019
【図１８】
2007274567.tif 000020
【図１９】
2007274567.tif 000021
【図２０】
2007274567.tif 000022
【図２１】
2007274567.tif 000023
【図２２】
2007274567.tif 000024